(57)【特許請求の範囲】
【請求項１】
切欠孔部および孔部を有する支持体と、
この支持体にて支持され、案内溝部を有する手摺体と、
この手摺体を前記支持体に固定する固定手段とを備え、
前記固定手段は、
第１ねじ孔部および第２ねじ孔部が形成され、前記案内溝部にて案内される板状部材と、
前記第１ねじ孔部に螺合可能な第１雄ねじ部材と、
前記第２ねじ孔部に螺合可能な第２雄ねじ部材とを有し、
前記固定手段にて前記手摺体が前記支持体に固定される場合に、前記第１雄ねじ部材が前記第１ねじ孔部に螺合された状態で前記板状部材が前記案内溝部にて案内されながら移動し、この移動により前記第１雄ねじ部材が前記切欠孔部に入り込むと同時に前記第２ねじ孔部が前記孔部と対向し、この対向した孔部から前記第２雄ねじ部材が前記第２ねじ孔部に螺合締付されかつ前記第１ねじ孔部に螺合された前記第１雄ねじ部材がその第１ねじ孔部に螺合締付される
ことを特徴とする手摺装置。
【請求項２】
支持体は、笠木に立設された支柱の上端部に固定された支持板である
ことを特徴とする請求項１記載の手摺装置。
【発明の詳細な説明】
【技術分野】
【０００１】
本発明は、手摺体を容易に固定できる手摺装置に関する。
【背景技術】
【０００２】
従来、例えば特許文献１に記載された手摺装置が知られている。
【０００３】
この従来の手摺装置は、笠木に立設された支柱の上端部に固定された支持板と、この支持板に複数本のビスで固定され開口部から支柱の上端部が挿入されこの支柱の上端部に載置された断面半円形の手摺下部材と、この手摺下部材に係合により取り付けられこの手摺下部材とともに断面円形の手摺体を構成する断面半円形の手摺上部材とを備えている。
【先行技術文献】
【特許文献】
【０００４】
【特許文献１】特開平１０−２５２２３７号公報（図７、図８）
【発明の概要】
【発明が解決しようとする課題】
【０００５】
しかしながら、上記従来の手摺装置では、例えば手摺下部材の開口部と支柱の上端部とを位置合わせしてその開口部に支柱の上端部を挿入する作業や、手摺下部材に手摺上部材を係合により取り付ける作業等に手間がかかり、手摺体の固定作業に手間取るおそれがある。
【０００６】
本発明は、このような点に鑑みなされたもので、手摺体を支持体に対して容易に固定できる手摺装置を提供することを目的とする。
【課題を解決するための手段】
【０００７】
請求項１記載の手摺装置は、切欠孔部および孔部を有する支持体と、この支持体にて支持され、案内溝部を有する手摺体と、この手摺体を前記支持体に固定する固定手段とを備え、前記固定手段は、第１ねじ孔部および第２ねじ孔部が形成され、前記案内溝部にて案内される板状部材と、前記第１ねじ孔部に螺合可能な第１雄ねじ部材と、前記第２ねじ孔部に螺合可能な第２雄ねじ部材とを有し、前記固定手段にて前記手摺体が前記支持体に固定される場合に、前記第１雄ねじ部材が前記第１ねじ孔部に螺合された状態で前記板状部材が前記案内溝部にて案内されながら移動し、この移動により前記第１雄ねじ部材が前記切欠孔部に入り込むと同時に前記第２ねじ孔部が前記孔部と対向し、この対向した孔部から前記第２雄ねじ部材が前記第２ねじ孔部に螺合締付されかつ前記第１ねじ孔部に螺合された前記第１雄ねじ部材がその第１ねじ孔部に螺合締付されるものである。
【０００８】
請求項２記載の手摺装置は、請求項１記載の手摺装置において、支持体は、笠木に立設された支柱の上端部に固定された支持板であるものである。
【発明の効果】
【０００９】
請求項１に係る発明によれば、板状部材、第１雄ねじ部材および第２雄ねじ部材を有する固定手段を用いて、手摺体を支持体に対して容易に固定できる。
【００１０】
請求項２に係る発明によれば、笠木に立設された支柱の上端部に固定された支持板に対して手摺体を容易かつ適切に固定できる。
【図面の簡単な説明】
【００１１】
【図１】本発明の一関連技術に係る手摺装置を備えた手摺付き笠木装置の断面図である。
【図２】同上手摺付き笠木装置の分解斜視図である。
【図３】同上手摺装置の分解斜視図である。
【図４】同上手摺装置の断面図である。
【図５】同上手摺付き笠木装置の施工方法を説明するための説明図である。
【図６】図５に続く説明図である。
【図７】図６に続く説明図である。
【図８】図７に続く説明図である。
【図９】図８に続く説明図である。
【図１０】本発明の他の関連技術に係る手摺装置を示す分解斜視図である。
【図１１】本発明の一実施の形態に係る手摺装置を示す分解斜視図である。
【図１２】同上手摺装置の断面図である。
【発明を実施するための形態】
【００１２】
本発明の一関連技術を図面を参照して説明する。
【００１３】
図１ないし図４において、１は手摺付き笠木装置で、この手摺付き笠木装置１は、例えば建物付設物であるバルコニの腰壁等の壁部２の上端部に取り付けられている。つまり、被覆い部である壁部２の上端部に手摺付き笠木装置１が固定的に取り付けられ、この手摺付き笠木装置１にて壁部２の上端部が覆われている。
【００１４】
なお、バルコニの壁部２の上面の幅方向中央位置、つまり壁部２の厚さ方向である前後方向の中央位置には、左右方向に延びるけがき線等の基準線３が付されている（図２参照）。
【００１５】
手摺付き笠木装置１は、バルコニの壁部２の上面に固定され互いに等間隔をおいて左右方向に並ぶ複数の板状のブラケット等の笠木受体６と、これら複数の笠木受体６にて支持されバルコニの壁部２の上面および壁部２の上端部前後面を覆う左右方向長手状の笠木７と、この笠木７に略直角に立設され笠木受体６に対応して互いに等間隔をおいて左右方向に並ぶ複数の４角筒状で上下面開口状の支柱８と、これら複数の支柱８の上端部に架設されこれら複数の支柱８に亘って位置する左右方向長手状の手摺装置10とを備えている。
【００１６】
笠木受体６は、互いに離間対向して水平状に位置する左右方向長手状で略矩形状の前後１対の固定板部11を有している。固定板部11には、複数、例えば２つの左右方向長手状の長孔部12が上下面に貫通して形成されている。固定板部11の内端部には鉛直状に位置する左右方向長手状で略矩形状の立設板部14が略直角に立設され、これら互いに離間対向する両立設板部14の上端部相互が略正方形状の笠木受板部15にて連結されている。笠木受板部15はバルコニの壁部２の上面から離れて水平状に位置し、この笠木受板部15には複数、例えば２つの略円形状の孔部16が上下面に貫通して形成されている。
【００１７】
そして、雄ねじ部材である固定用ねじ18が長孔部12からバルコニの壁部２の上端部にねじ込まれることにより、固定板部11がバルコニの壁部２の上面に固定されている。また、平面視で笠木受板部15の前後方向中央位置がバルコニの壁部２の前後方向中央位置に一致した状態となっている。
【００１８】
笠木７は、水平状に位置しバルコニの壁部２の上面を覆う左右方向長手状で略矩形状の本体板部21を有している。本体板部21の前後端部から左右方向長手状で略矩形状の突出板部22が下方に向って突出し、これら両突出板部22にてバルコニの壁部２の上端部前後面が覆われている。
【００１９】
本体板部21のうち笠木受体６の笠木受板部15にて略矩形状の補強板23を介して支持された部分が、固定部25となっている。固定部25には、複数、例えば２つの左右方向長手状の長孔部26および複数、例えば４つの略円形状の柱固定用孔部27が上下面に貫通して形成されている。補強板23にも、本体板部21の長孔部26および柱固定用孔部27とそれぞれ同一形状の長孔部28および柱固定用孔部29が上下面に貫通して形成されている。なお、補強板23の幅寸法である左右方向長さ寸法は笠木受板部15の左右方向長さ寸法と略同じであるが、補強板23の前後方向長さ寸法は笠木受板部15の前後方向長さ寸法より大きい。
【００２０】
そして、雄ねじ部材である固定用ねじ30が互いに対向した柱固定用孔部27，29から支柱８の内側のねじ受部９の下端部にねじ込まれることにより、補強板23が笠木７の本体板部21の下面に固定されかつ支柱８の下端面が笠木７の本体板部21の上面に固定されている。なお、固定用ねじ30のねじ頭部は、補強板23の柱固定用孔部27内に位置しており、補強板23の下面から突出していない。もっとも、施工上問題がなければ、若干突出していてもよいが、下面から突出していない構成が好ましい。
【００２１】
また、固定手段である雄ねじ部材31が支柱８の上面開口部8aから支柱８内に挿入されこの挿入された雄ねじ部材31が互いに対向した長孔部26，28から笠木受体６の笠木受板部15の孔部16にその支柱８内での回転操作に基づいてねじ込まれることにより、笠木７の本体板部21のうち支柱８内と対向する部分、つまり固定部25における支柱８の下面開口部8bに面した部分が笠木受体６の笠木受板部15の上面に補強板23を介して固定されている。すなわち例えばねじ頭部31aが支柱８内に位置する雄ねじ部材31によって笠木７の固定部25が笠木受体６の笠木受板部15の上面に補強板23を介して固定され、この補強板23が固定部25の下面と笠木受板部15の上面とにて挟持固定されている。
【００２２】
なお、雄ねじ部材31は、例えば小ねじ或いは座金（ばね座金、平座金等）付きの小ねじ等で、ねじ頭部31aおよびねじ軸部31bを有している。ねじ軸部31bの長さ寸法は、例えばねじ軸部31bの下端がバルコニの壁部２の上面に当接しない寸法となっている。
【００２３】
なお、固定手段は、雄ねじ部材31等のねじで締結するものには限定されず、ビスや釘等でもよく、任意である。すなわち、支柱８の上面開口部8aから下面開口部8bまで貫通している支柱８内の中空部（内部空間）に、固定手段が挿入されて笠木受板部15の上面に打ち込む等により笠木受体６に固定できればよく、結果的には壁部２に固定できればよい。なお、ねじ込みや打ち込みでねじ軸部31b等の突出部が壁部２に当接しない寸法のものが好ましいが、壁部２に当接したり壁部２にねじ込みや打ち込みされるようなもの等でもよい。
【００２４】
手摺装置10は、支柱８の上端部に固定され水平状に位置する左右方向やや長手状で略矩形板状の複数の支持体である支持板41と、これら複数の支持板41にて直接支持され水平状に位置する左右方向長手状で筒状の手摺体42と、この手摺体42を支持板41に固定する固定手段43とを備えている。
【００２５】
支持板41には、複数、例えば４つの略円形状の柱固定用孔部46が上下面に貫通して形成されている。そして、雄ねじ部材である固定用ねじ45が柱固定用孔部46から支柱８の内側のねじ受部９の上端部にねじ込まれることにより、支持板41の下面が支柱８の上端面に固定されており、この支持板41にて支柱８の上面開口部8aが閉鎖されている。なお、固定用ねじ45のねじ頭部は、支持板41の柱固定用孔部46内に位置しており、支持板41の下面から突出していない。
【００２６】
支持板41の長手方向両端部である左右両端部における前後方向中央部には、左右方向長手状の切欠孔部47が端縁から内方側へ切り欠かれて上下面に貫通して形成されている。つまり、支持板41のうち支柱８の側面より側方に突出した端部分41aには、側方に向って開口する長孔状の切欠孔部47が形成されている。
【００２７】
手摺体42は、水平状に位置する左右方向長手状で略矩形状の底板部51を有している。底板部51の幅方向中央部である前後方向中央部には、下方に向って開口する断面略コ字状をなす左右方向長手状の案内溝部52が形成されている。なお、案内溝部52の案内方向と切欠孔部47の切欠方向とが同じ方向であればよく、必ずしも左右方向である必要はない。
【００２８】
案内溝部52は、互いに離間対向する鉛直状の前後１対の対向板部53と、これら両対向板部53の上端部相互を連結する水平状の連結板部54と、対向板部53の下端部から対向する対向板部53側に向って突出する突出部55とを有し、これら互いに離間対向する前後１対の突出部55間に開口部56が形成されている。
【００２９】
手摺体42は、水平状に位置する左右方向長手状で断面略Ｃ字状の手摺本体部58を有し、この手摺本体部58の前後の下端部が底板部51の前後両端部に一体に連結されている。つまり、底板部51と手摺本体部58とが一部材で構成されている。
【００３０】
なお、図２に示されるように、手摺体42は例えば筒状の複数の手摺部材61を有し、互いに隣り合う手摺部材61の対向端部相互が繋ぎ金具等の連結部材62にて連結されている。連結部材62は手摺部材61の対向端部に嵌入されてその対向端部にねじ部材63で固定され、互いに隣り合う手摺部材61の対向端部間の間隙が間隙カバー部材64にて覆い隠されている。手摺体42の長手方向端部に位置する手摺部材61の端部には端部カバー部材（図示せず）が嵌入固定されている。なお、手摺体42は、例えば１本の手摺部材61のみで構成されたものでもよい。
【００３１】
固定手段43は、ねじ頭部71aが案内溝部52内に収納されかつねじ軸部71bが案内溝部52の開口部56から下方に向って突出した状態で案内溝部52にて案内される複数、例えば２つの雄ねじ部材71と、雄ねじ部材71のねじ軸部71bに螺合可能な複数、例えば２つの雌ねじ部材72とを有している。
【００３２】
なお、手摺体42を１本のみの支柱８に対して支持板41を介して固定する構成である場合でも、固定手段43は少なくとも２組の雄ねじ部材71および雌ねじ部材72を有するものである。
【００３３】
雄ねじ部材71は、例えば６角ボルト等で、６角柱状のねじ頭部（頭部）71aと、このねじ頭部71aに一体に突設され外周面にねじ溝が形成されねじ頭部71aから下方に突出しているねじ軸部（突出部）71bとを有している。なお、ねじ頭部71aの外形寸法は開口部56の幅寸法より大きく、ねじ頭部71aは両突出部55に跨った状態でこれら両突出部55上を両対向板部53にて案内されつつスライド移動する。
【００３４】
雌ねじ部材72は、例えば袋ナット或いは座金付きの袋ナット等で、内周面にねじ溝が形成されたねじ孔部72aを有している。
【００３５】
そして、固定手段43にて手摺体42が支持板41に固定される場合に、雄ねじ部材71が手摺体42の案内溝部52にて案内されながらこの案内溝部52に沿って移動して支持板41の切欠孔部47に水平方向である側方から入り込み、この入り込んだ雄ねじ部材71に雌ねじ部材72が螺合締付される。なお、切欠孔部47に入り込んだ雄ねじ部材71には、支持板41の下方から雌ねじ部材72が螺合締付される。この場合、雌ねじ部材72の外形寸法は、雌ねじ部材72が切欠孔部47から上方に脱出してしまわないように、切欠孔部47の幅寸法より大きな構成、すなわち切欠孔部47の両側に存在する支持板41に跨る構成となっている。
【００３６】
つまり、固定手段43を用いて手摺体42を支持板41に固定する場合には、まず、両雄ねじ部材71のねじ頭部71aを手摺体42の案内溝部52に嵌入し、これら２つのねじ頭部71a間の離間距離を支持板41の長手方向寸法より長くする。
【００３７】
次いで、支柱８の上端部に固定用ねじ45にて固定された支持板41上に、手摺体42の底板部51を載置する。
【００３８】
続いて、両雄ねじ部材71のうちのいずれか一方の雄ねじ部材71のねじ頭部71aを案内溝部52に沿って支持板41側に向けてスライド移動させ、いずれか一方の雄ねじ部材71のねじ軸部71bを支持板41の一方側の切欠孔部47にこの切欠孔部47の先端開口47aから入り込ませてこの切欠孔部47の基端47bに当接させる。また同様に、いずれか他方の雄ねじ部材71のねじ頭部71aを案内溝部52に沿って支持板41側に向けてスライド移動させ、いずれか他方の雄ねじ部材71のねじ軸部71bを支持板41の他方側の切欠孔部47にこの切欠孔部47の先端開口47aから入り込ませてこの切欠孔部47の基端47bに当接させる。
【００３９】
次いで、両雄ねじ部材71のねじ軸部71bのうち切欠孔部47から下方に向って突出した部分に、雌ねじ部材72を順次螺合締付する。その結果、雄ねじ部材71のねじ頭部71aと雌ねじ部材72とにて案内溝部52の突出部55および支持板41が挟持固定され、これにより手摺体42の底板部51の下面が支持板41の上面に固定される。
【００４０】
なお、この例では、雄ねじ部材71および雌ねじ部材72にて、結合部材70が構成されている。
【００４１】
もっとも、この例において、ねじ部材71，72以外、例えば釘、ビス、リベット等にて構成された結合部材を用いることも可能である。この場合、結合部材は、ねじ頭部71aに相当する頭部を有し、この頭部の外形寸法は開口部56の幅寸法より大きく、この頭部は両突出部55に跨った状態でこれら両突出部55上を両対向板部53にて案内されつつスライド移動する。
【００４２】
また、ねじ部材71，72以外の結合部材の場合も、頭部から下方に突出している部分（突出部）は、切欠孔部47に入り込むようになっている。さらに、結合部材が切欠孔部47に移動して入り込む際に、支柱８に邪魔されないように、切欠孔部47の全部または一部は支柱８の外側に位置している。勿論、切欠孔部47の切欠部先端は結合部材が入り込めるように支柱８の外側に位置していることは当然である。
【００４３】
そして、ねじ部材71，72以外の結合部材の場合、頭部から下方に突出している部分が切欠孔部47に入り込み、かつ切欠孔部47より下方に突出した部分を支持板41上に結合して手摺体42と支持板41とを固定する。この結合については、下方に突出した部分を曲げて支持板41に跨らせたり、支持板41に溶接したり接着したりすることによる。
【００４４】
なお、支柱８の下端面と笠木７の本体板部21の上面との間には、防水用のシール部材（図示せず）が配設されている。また、支柱８の上端面と支持板41の下面との間にも、防水用のシール部材（図示せず）が配設されている。なお、シール部材は必ずしも必要ではない。
【００４５】
次に、施工現場における手摺付き笠木装置１の施工方法について図面を参照して説明する。
【００４６】
建物のバルコニの壁部２の上面の前後方向中央位置に基準線３を付した後、図５に示すように、固定用ねじ18を用いて、ベース部材である笠木受体６をバルコニの壁部２の上面に固定する。
【００４７】
つまり、平面視で笠木受体６の笠木受板部15の前後方向中央位置とバルコニの壁部２の前後方向中央位置とが互いに一致するように、笠木受体６をバルコニの壁部２の上面上に載置した後、固定用ねじ18を笠木受体６の長孔部12からバルコニの壁部２の上端部にねじ込む。すると、笠木受体６の固定板部11がバルコニの壁部２の上面に固定される。
【００４８】
なお、予め工場において、笠木受体６に長孔部12および孔部16を形成しておく。施工現場で、ドリル等の孔開け用工具を使用して、笠木受体６に目印となる下穴等の孔部16を孔開け加工するようにしてもよい。例えば笠木受体６を壁部２の上面に固定した後に、孔開け用工具で笠木受体６に孔部16を形成してもよい。
【００４９】
また、図６に示すように、笠木７と支柱８と補強板（柱取付板）23とを組立てて、支柱付き笠木（支柱笠木ユニット）80を得る。
【００５０】
つまり、固定用ねじ30を互いに対向した柱固定用孔部27，29から支柱８のねじ受部９の下端部にねじ込む。すると、支柱８および補強板23が笠木７の本体板部21の上下面にそれぞれ固定され、ユニット状の支柱付き笠木80が得られる。
【００５１】
次いで、図７に示すように、支柱付き笠木80の長孔部26，28と笠木受体６の孔部16とが互いに一致するように、支柱付き笠木80を笠木受体６の笠木受板部15の上面上に載置してこの笠木受板部15に支持させた後、雄ねじ部材31を、支柱８の上面開口部8aから下面開口部8bまで貫通している支柱８内の中空部に挿入し、この挿入した雄ねじ部材31を用いて、支柱８内における中空部において、支柱付き笠木80の笠木７の固定部25のうち支柱８内と対向する部分を笠木受体６の笠木受板部15に固定する。
【００５２】
つまり、支柱付き笠木80の補強板23を笠木受体６の笠木受板部15の上面上に載置して長孔部26，28と孔部16とを互いに対向させる。その後、例えば長軸タイプの長ビットドライバ等の工具の先端部に磁力等を利用して雄ねじ部材31を吸着保持させながら、雄ねじ部材31を支柱８の上面開口部8aから支柱８内に挿入し、雄ねじ部材31のねじ軸部31bの縮径状先端部を互いに連通した長孔部26，28および孔部16に差し込む。続いて、その工具を使用して雄ねじ部材31を支柱８内で締付方向へ回転操作することにより、雄ねじ部材31のねじ軸部31bを孔部16にねじ込む。すると、支柱付き笠木80の笠木７の所定部分が笠木受体６の笠木受板部15に補強板23を介して固定される。
【００５３】
次いで、図８に示すように、固定用ねじ45を用いて、支持板（手摺トップ取付板）41を支柱付き笠木80の支柱８の上端部に固定する。
【００５４】
つまり、支持板41を支柱８の上端面上に載置し、支持板41の柱固定用孔部46と支柱８のねじ受部９とを互いに対向させる。続いて、固定用ねじ45を柱固定用孔部46から支柱８のねじ受部９の上端部にねじ込む。すると、支持板41が支柱８の上端面に固定され、この支持板41にて支柱８の上面開口部8aが閉鎖される。
【００５５】
次いで、図９に示すように、雄ねじ部材71および雌ねじ部材72を用いて、手摺体42を支持板41に固定する。
【００５６】
つまり、ねじ頭部71aを案内溝部52に嵌入することにより雄ねじ部材71を手摺体42に装着した後、手摺体42を支持板41の上面上に載置する。続いて、雄ねじ部材71のねじ頭部71aを案内溝部52に沿って支持板41側に向けて移動させ、雄ねじ部材71のねじ軸部71bを切欠孔部47に入り込ませた後、そのねじ軸部71bのうち切欠孔部47から下方に向って突出した部分に、下方から雌ねじ部材72を螺合締付する。すると、手摺体42が支持板41の上面に固定される。こうして、手摺付き笠木装置１の組立てが完了する。
【００５７】
そして、この手摺付き笠木装置１が備える手摺装置10によれば、固定手段43にて手摺体42が支持板41に固定される場合に、雄ねじ部材71が手摺体42の案内溝部52にて案内されながら移動して支持板41の切欠孔部47に入り込み、この入り込んだ雄ねじ部材71に雌ねじ部材72が螺合締付される構成であるから、例えば雄ねじ部材71を略円形状の孔部に対して位置合わせした後にその雄ねじ部材71を上方から孔部に通す構成等に比べて、雄ねじ部材71および雌ねじ部材72を有する固定手段43を用いて、手摺体42を支持板41に対して容易かつ適切に固定できる。
【００５８】
なお、手摺付き笠木装置１の手摺装置10は、両側に切欠孔部47を有する支持板41を備えた構成には限定されず、例えば図１０に示すように、一方側に略円形状の孔部48を有しかつ他方側に切欠孔部47を有する支持板41を備えた構成でもよい。
【００５９】
この構成では、手摺体42を支持板41に載置するときに、一方側の雄ねじ部材71のねじ軸部71bを上方から孔部48に通す必要があるが、他方側の雄ねじ部材71に関してはその必要がなく、案内溝部52に沿った移動によってねじ軸部71bを側方から切欠孔部47に入り込ませることが可能である。
【００６０】
ここで、図１１および図１２には、本発明の一実施の形態に係る手摺装置10が示されている。
【００６１】
この手摺装置10の固定手段43は、長手方向一端部に第１ねじ孔部81が形成されかつ長手方向他端部に第２ねじ孔部82が形成され手摺体42の案内溝部52にて案内される左右方向長手状の板ナット等の板状部材83と、第１ねじ孔部81に螺合可能な第１雄ねじ部材84と、第２ねじ孔部82に螺合可能な第２雄ねじ部材85とを有している。
【００６２】
雄ねじ部材84，85は、例えば６角ボルト或いは座金付きの６角ボルト等で、６角柱状のねじ頭部84a，85aと、このねじ頭部84a，85aに一体に突設され外周面にねじ溝が形成されたねじ軸部84b，85bとを有している。そして、板状部材83にて頭部が構成され、ねじ軸部84bにてその頭部から下方に突出している突出部が構成されている。
【００６３】
なお、板状部材83の幅寸法は開口部56の幅寸法より大きく、板状部材83は両突出部55に跨った状態でこれら両突出部55上を両対向板部53にて案内されつつスライド移動する。また、板状部材83の長手方向両端面は略円弧面状に形成されている。
【００６４】
また、支持板41の長手方向一端部には切欠孔部47が形成され、支持板41の長手方向他端部には略円形状の孔部87が形成されている。これら切欠孔部47と孔部87との離間距離は、板状部材83に形成された両ねじ孔部81，82の離間距離と略同じである。なお、この孔部87は、切欠孔部47と同様、側方に向って開口する切欠孔部であってもよい。
【００６５】
そして、固定手段43にて手摺体42が支持板41に固定される場合に、第１雄ねじ部材84が第１ねじ孔部81に螺合された状態で板状部材83が案内溝部52にて案内されながらこの案内溝部52に沿って移動し、この移動により第１雄ねじ部材84が切欠孔部47に水平方向である側方から入り込むと同時に第２ねじ孔部82が孔部87と上下に対向し、この対向した孔部87から第２雄ねじ部材85が第２ねじ孔部82に螺合締付されかつ第１ねじ孔部81に螺合された第１雄ねじ部材84がその第１ねじ孔部81に螺合締付される。
【００６６】
つまり、固定手段43を用いて手摺体42を支持板41に固定する場合には、まず、ねじ頭部84aを下にした状態で第１雄ねじ部材84を下方から第１ねじ孔部81に螺合により取り付ける。そして、第１雄ねじ部材84が第１ねじ孔部81に螺合された状態の板状部材83を手摺体42の案内溝部52内に嵌入する。
【００６７】
次いで、支柱８の上端部に固定用ねじ45にて固定された支持板41上に、手摺体42の底板部51を載置する。
【００６８】
続いて、板状部材83を案内溝部52に沿って支持板41側に向けてスライド移動させ、第１雄ねじ部材84のねじ軸部84bを支持板41の一方側の切欠孔部47にこの切欠孔部47の先端開口47aから入り込ませてこの切欠孔部47の基端47bに当接させる。ねじ軸部84bが切欠孔部47の基端47bに当接すると、第２ねじ孔部82が孔部87と対向した状態となる。
【００６９】
次いで、第２雄ねじ部材85を孔部87から第２ねじ孔部82に螺合締付するとともに、第１ねじ孔部81に螺合されている第１雄ねじ部材84をその第１ねじ孔部81に螺合締付する。その結果、板状部材83と雄ねじ部材84，85のねじ頭部84a，85aとにて案内溝部52の突出部55および支持板41が挟持固定され、これにより手摺体42の底板部51の下面が支持板41の上面に固定される。
【００７０】
そして、この図１１及び図１２に示す手摺装置10でも、前記図１等に示すものと同様、固定手段43を用いて手摺体42を支持板41に対して容易かつ適切に固定できる。
【００７１】
なお、この例では、板状部材83、第１雄ねじ部材84および第２雄ねじ部材85にて、結合部材70aが構成されている。もっとも、この例において、板状部材83等にねじ溝がなくてもよく、この場合は、ねじ頭部84aを支持板41に溶接や接触等で固定する。なお、溶接等の場合にはねじ頭部84aがなくて単に棒状等でもよい。釘やビス等を用いて結合部材を構成した場合は、結合部材の頭部はねじの場合と同様、頭部の外形寸法を切欠孔部47の幅寸法よりも大きく構成し、切欠孔部47に入り込ませた後に支持板41の下方から上方に向って例えば案内溝部52にハンマー等の工具で打ち付けて固定する。なお、打ち付け後に、切欠孔部47に入り込ませた結合部材の箇所を支持板41に溶接や接着等をするのであれば、頭部の外形寸法を切欠孔部47の幅寸法よりも大きく構成しなくてもよいし、さらには頭部が存在してなくてもよい。
【００７２】
なお、前記関連技術および実施の形態のいずれにおいても、結合部材70，70aの頭部が案内溝部52に対してスライド可能であるためには、少なくとも頭部真下の突出部の径は頭部よりも小径の必要がある。突出部の全部または大部分の径は頭部よりも小径であることが好ましい。なお、頭部や突出部の断面形状は、円形とは限らず、任意である。
【００７３】
また、図３に示す関連技術において、締付操作を容易にするため、雄ねじ部材71を案内溝部52に対してスライドさせる際に、予め雌ねじ部材72を雄ねじ部材71に、落下しない程度でかつねじ軸部71aが切欠孔部47に入り込める余裕がある程度にゆるく螺合させておき、雄ねじ部材71が案内溝部52に対するスライドにより切欠孔部47に入り込んだ際に、予め螺合させておいた雌ねじ部材72を雄ねじ部材71に螺合締付するようにしてもよい。
【００７４】
さらに、図１１に示す実施の形態において、結合部材の頭部は、板状部材83のような長尺部材でなく、案内溝部52に対してスライド可能でかつ第１雄ねじ部材84を螺合する際に締付が可能であれば（言い換えれば、第１雄ねじ部材84と一緒に回転してしまうようなものでなければ、）、例えば雌ねじ部材72や通常のナットのような短尺部材でもよい。
【００７５】
また、前記関連技術および実施の形態のいずれにおいても、手摺体42の形状は、断面略楕円の略円筒状には限定されず、例えば４角筒状等の多角筒状でもよい。
【００７６】
さらに、手摺付き笠木装置１が手摺装置10を備える場合について説明したが、例えば壁部に直接立設した支柱や床部に立設した支柱に手摺装置10を設けるようにしてもよい。
【符号の説明】
【００７７】
７    笠木
８    支柱
10    手摺装置
41    支持体である支持板
42    手摺体
43    固定手段
47    切欠孔部
52    案内溝部
81    第１ねじ孔部
82    第２ねじ孔部
83    板状部材
84    第１雄ねじ部材
85    第２雄ねじ部材
87    孔部
【図１】
0005529492.tif 000002
【図２】
0005529492.tif 000003
【図３】
0005529492.tif 000004
【図４】
0005529492.tif 000005
【図５】
0005529492.tif 000006
【図６】
0005529492.tif 000007
【図７】
0005529492.tif 000008
【図８】
0005529492.tif 000009
【図９】
0005529492.tif 000010
【図１０】
0005529492.tif 000011
【図１１】
0005529492.tif 000012
【図１２】
0005529492.tif 000013